(57)【要約】【課題】撮影の角度や範囲の拡大が可能となり、従来より理想的な撮影効果を奏し得る、自撮り機能を有する携帯電子機器に設置可能な固定装置を提供すること。【解決手段】本考案に係る携帯電子機器に設置可能な固定装置は、第一ベース２０、第二ベース３０、第一可動ブラケット４０、第二可動ブラケット５０及び位置固定ブラケット６０を備える。第一ベース２０には応用媒介物１が設置可能である。第一ベースと組み合わされた第二ベース３０は、第一可動ブラケット４０を支持する。第一可動ブラケット４０の下端（第一端４０２）は球形状をなしており、第一可動ブラケット４０は、第二ベース３０に対して多方向／多角度に調節可能である。更に、第一可動ブラケット４０の上端（第二端４０３）は第二可動ブラケット５０の下端（第一端５０２）と軸接続されて、第二可動ブラケット５０は第一可動ブラケット４０に対し多角度に調整可能である。【選択図】図２
0003231636.tif 000002
【実用新案登録請求の範囲】
【請求項１】
自撮り機能を有する携帯電子機器に設置可能な固定装置であって、
当該自撮り機能を有する携帯電子機器に設置可能な固定装置は、第一ベース（２０）、第二ベース（３０）、第一可動ブラケット（４０）、第二可動ブラケット（５０）及び位置固定ブラケット（６０）を備え、
前記第一ベースは、応用媒介物（１）に設置することが可能であり、前記第一ベースには本体（２０１）が設置され、前記本体（２０１）には固定装置（２０２）が設置され、前記固定装置（２０２）には前記応用媒介物が設置固定され、前記本体（２０１）は外側に向かって対応する結合部（２０３）を有し、前記結合部（２０３）は前記第二ベースに接続され、
前記第二ベースは、前記第一ベースと組み合わされて、前記第一可動ブラケットが軸設置されるのに供され、前記第二ベースは本体（３０１）を有し、前記本体（３０１）は外側に向かって対応する結合部（３０２）を有し、前記結合部（３０２）は、前記第一ベースの結合部（２０３）に接続され、
前記第一可動ブラケットは、前記第二ベースに可動式に軸接続され、前記第一可動ブラケットはメインステム（４０１）を有し、前記メインステムの一端には第一端（４０２）を有し、前記第一端（４０２）は前記第二ベースの前記本体（３０１）に可動式に軸接続され、前記メインステムは前記第一端（４０２）の反対側の他端に第二端（４０３）を有し、前記第二端（４０３）は軸接続体で、前記第二端（４０３）は前記第二可動ブラケットが軸接続されて位置固定されるのに供され、
前記第二可動ブラケットは、前記第一可動ブラケットに可動式に軸接続され、前記第二可動ブラケットはメインステム（５０１）を有し、前記メインステム（５０１）の一端に第一端（５０２）を有し、前記第一端（５０２）は前記第一可動ブラケットの前記メインステム（４０１）の前記第二端（４０３）に軸接続され、前記メインステム（５０１）の前記第一端（５０２）の反対側に第二端（５０４）を有し、前記第二端（５０４）は前記位置固定ブラケットが設置されるのに供され、
前記位置固定ブラケット（６０）は、携帯式電子機器（Ａ）が設置されるのに供されると共に、前記位置固定ブラケットは、適度な締め付けの度合いで前記第二可動ブラケットの前記第二端（５０４）に軸接続されるのに供され、上記の構成を利用して完成されることを特徴とする、自撮り機能を有する携帯電子機器に設置可能な固定装置。
【請求項２】
前記第一ベースの固定装置（２０２）は、前記本体（２０１）の相対する両側に設置され、前記本体（２０１）の相対する両側には、それぞれ相互に結合的なフックベルト（２０２１）及びフック（２０２２）が固定設置され、前記フックベルトには適度な間隔で複数の位置固定孔（２０２１１）が設けられ、前記フックベルトは、前記応用媒介物の周面に環状に設置され、前記フックは前記フックベルトの前記対応する位置固定孔に係合されて位置固定されることを特徴とする、請求項１に記載の自撮り機能を有する携帯電子機器に設置可能な固定装置。
【請求項３】
前記第一ベースの結合部（２０３）の周縁には、少なくとも一個の突出した導入移動ブロック（２０３１）を有し、前記第二ベースの結合部（３０２）には収納空間（３０２１）を有し、前記収納空間は前記第一ベースの前記結合部（２０３）が設置されるのに供され、前記収納空間周縁には少なくとも一個の外に広がったはめ込み槽（３０２２）を有し、前記はめ込み槽は前記第一ベースの前記結合部の前記導入移動ブロック（２０３１）が設置されるのに供され、前記収納空間周縁には、導入移動槽（３０２３）がくぼんだ形態で設置され、前記導入移動槽の一端には前記はめ込み槽（３０２２）が接続され、前記導入移動槽の他端と隣接する前記はめ込み槽の間に当たり縁（３０２４）を有し、前記導入移動槽は前記はめ込み槽から前記第一ベースの前記導入移動ブロックが前記導入移動槽に回転して進入するのに供され、前記導入移動ブロックは前記当たり縁の位置に止まることを特徴とする、請求項１に記載の自撮り機能を有する携帯電子機器に設置可能な固定装置。
【請求項４】
前記第一ベースの前記結合部（２０３）の周面には、少なくとも一個の位置固定槽（２０３２）を有し、前記第二ベースの前記結合部（３０２）の前記収納空間（３０２１）の周面には少なくとも一個の位置固定ほぞ（３０２５）を有し、前記位置固定ほぞ（３０２５）は、前記第二ベースの前記導入移動槽に回転して進入する前記第一ベース（２０）の前記位置固定槽（２０３２）にはまり込んで位置固定することを特徴とする、請求項３に記載の自撮り機能を有する携帯電子機器に設置可能な固定装置。
【請求項５】
前記第二ベースの本体（３０１）は、外に向かって対応する開放式の収納槽（３０１１）を有し、前記収納槽の壁面にはカーブ型位置固定部（３０１２）を有し、前記本体（３０１）の周面には前記収納槽と前記カーブ型位置固定部を貫通する切り込み槽（３０１３）を有することで、前記本体（３０１）を内側に収縮し外に張り出す弾力性を有する作用力を持たせ、前記第一可動ブラケットの前記メインステム（４０１）の前記第一端（４０２）は、球形状を呈し、前記球形状の第一端（４０２）は、前記第二ベースの前記本体（３０１）の前記収納槽（３０１１）を経て、前記第二ベースの前記本体（３０１）の前記カーブ型位置固定部（３０１２）に自由に回転するように接続して、前記本体（３０１）に弾力性を有してしっかりと固定されることを特徴とする、請求項１に記載の自撮り機能を有する携帯電子機器に設置可能な固定装置。
【請求項６】
前記第二可動ブラケットの前記メインステム（５０１）の前記第一端（５０２）は、ロック素子（５０３）を介して前記第一可動ブラケットの前記メインステム（４０１）の前記第二端（４０３）に牢固に固定されることを特徴とする、請求項１に記載の自撮り機能を有する携帯電子機器に設置可能な固定装置。
【請求項７】
前記応用媒介物（１）は、前記第一ベースの固定装置（２０２）に固定設置することが可能な物品または物体であることを特徴とする、請求項１に記載の自撮り機能を有する携帯電子機器に設置可能な固定装置。
【考案の詳細な説明】
【技術分野】
【０００１】
本考案は、自撮り機能を有する携帯電子機器に設置可能な固定装置に関し、特に、設置が簡単で、組み立て、操作がシンプルで、使用が便利であり、携帯電子機器を応用媒介物に様々な角度に設置できることで、使用上の利便性を向上させると同時に、携帯電子機器または応用媒介物の操作、使用面において、多様性を有し、簡単且つ容易であり、高い利便性も有するため、実用性、理想性及び進歩性を有する自撮り機能を有する携帯電子機器に設置可能な固定装置に関する。
【背景技術】
【０００２】
現在市中に出回っている携帯式電子機器（例えば、スマホ）で自撮りをする場合、直接手で携帯式電子機器（例えば、スマホ）を持って行う外に、自撮り機材を使用して行うことで、撮影の角度、範囲の拡大が可能となり、より理想的な撮影効果が期待できる。
【０００３】
現在使用されている自撮り機材は種類が多いものの、基本の構造には大差がない。たいていは、図１に示したように、スティック部分１０を備え、前記スティック部分１０は、伸縮するタイプと、伸縮しないタイプの二種類がある。前記スティック部分１０の一端には、グリップ部分１０１を有する。前記グリップ部分１０１は、使用の際に手で持って操作するのに供する。前記スティック部分１０は、前記グリップ部分１０１の反対側に結合部１０２を有する。前記結合部１０２は、ロック装置１１を介して固定ブラケット１２が設置される。前記固定ブラケット１２は、携帯式電子機器Ａ（例えば、スマホ）を固定するのに供して、前記結合部１０２において様々な角度に回転して調整及び位置固定を行う。これにより、使用の際に手で自撮り機材の前記スティック部分１０を持って、前記携帯式電子機器Ａを操作して自撮りする目的を達成する。
【０００４】
上述の自撮り機材の設置及び利用により、携帯式電子機器Ａでの自撮り操作において、より理想的な効果が達成できることは否定できない。しかしながら、従来の自撮り機材は以下の欠点を有することが明らかである。
【０００５】
１．前記固定ブラケットと前記スティック部分が相互に固定されて一体となっているため、外出時に使用する際、収納や携帯がしにくく、不便であり、場所をとる。
【０００６】
２．前記固定ブラケットと前記スティック部分が固定されて一体となって自撮り機材を形成していることにより、前記自撮り機材は携帯式電子機器で自撮りするのに提供されるのみで、当然前記スティック部分も自撮り機材の持ち手として単一の作用を有するのみである。したがって、前記スティック部分は、実施の際に単一機能を有するのみで、使用範囲が制限される。
【０００７】
３．携帯式電子機器の使用において、自撮り以外に、室内、屋外にかかわらず、他に多くの機能を有する。例えば、動画観賞、読書、ゲーム等の多くの使用状況が考えられる。しかしながら、前述のように、前記固定ブラケットと前記スティック部分が結合して一体となっているため、携帯式電子機器に単一の作用である自撮りの用途を提供するのみで、携帯式電子機器にその他の用途を全く提供できないという状況において、前記固定ブラケットと前記スティック部分から構成される自撮り機材は、使用範囲が制限されるだけでなく、機能が単一であるという状況が発生する。
【先行技術文献】
【特許文献】
【０００８】
【特許文献１】（特になし）
【考案の概要】
【考案が解決しようとする課題】
【０００９】
したがって、本考案は、従来の自撮り機材が有する欠点を解決して、撮影の角度、範囲の拡大が可能となり、より理想的な撮影効果を有する、自撮り機能を有する携帯電子機器に設置可能な固定装置を提供することを課題とする。
上記課題を解決するため、本考案は、携帯式電子機器を様々な角度で応用媒介物に設置して、使用の際の利便性を高めると同時に、携帯式電子機器または応用媒介物の操作・使用上、さらに多様性を有し、簡単で便利にする効果を達成する、自撮り機能を有する携帯電子機器に設置可能な固定装置を提供することを目的とする。
【課題を解決するための手段】
【００１０】
上記の目的を達成するため、本考案の自撮り機能を有する携帯電子機器に設置可能な固定装置は、以下の特徴を備えることを特徴とする。
本考案の自撮り機能を有する携帯電子機器に設置可能な固定装置は、第一ベース、第二ベース、第一可動ブラケット、第二可動ブラケット及び位置固定ブラケットを備える。前記第一ベースは、必要に応じて応用媒介物に設置することが可能であり、前記第二ベースは、必要に応じて前記第一ベースに組み合わせて設置する。前記第一可動ブラケットの第一端は、多角度を呈し、前記第二ベースに軸接続されて多方向な調整を可能にする。前記第二可動ブラケットの第一端は、前記第一可動ブラケットの第一端の反対側の多端に軸接続されて多角度の調整を可能にする。前記位置固定ブラケットは、携帯式電子機器の設置に供されて、前記第二可動ブラケットに軸接続されて、適切な締め付けの度合いを保って可動式に設置される。したがって、前記携帯式電子機器は、多角度で応用媒介物に設置して操作されることが可能であり、前記第二ベース、前記第一可動ブラケット、前記第二可動ブラケット及び前記位置固定ブラケットは、必要に応じて前記第一ベース及び応用媒介物に設置されることが可能なことにより、前記携帯式電子機器または応用媒介物の操作、使用がさらにシンプルに便利にする。
【考案の効果】
【００１１】
このように、本考案は、携帯式電子機器を様々な角度で応用媒介物に設置して、使用の際の利便性を高めると同時に、携帯式電子機器または応用媒介物の操作、使用上、さらに多様性を有し、簡単で便利にする効果を達成する、自撮り機能を有する携帯電子機器に設置可能な固定装置を提供する。
【図面の簡単な説明】
【００１２】
【図１】従来の自撮り機材の平面図である。
【図２】本考案の実施例における立体図（一）である。
【図３】本考案の実施例における立体図（二）である。
【図４】本考案の第一ベースと第二ベースが相互に取り外された実施例における立体図である。
【図５】図２の断面図である。
【図６】図４の断面図である。
【図７】本考案の第一ベースの結合部と第二ベースにおける実施例の立体図である。
【図８】本考案を応用媒介物に設置した場合の実施例の正面図である。
【図９】本考案を応用媒介物に設置した場合の実施例の側面図である。
【図１０】本考案において応用媒介物に倒して折り畳んだ場合の実施例における立体図である。
【図１１】本考案において応用媒介物に倒して折り畳んだ場合の実施例における平面図である。
【考案を実施するための形態】
【００１３】
図２、図３、図４、図５、図６、図７を参照しながら説明する。本考案は、自撮り機能を有する携帯電子機器に設置可能な固定装置に関する。本考案の自撮り機能を有する携帯電子機器に設置可能な固定装置は、第一ベース２０、第二ベース３０、第一可動ブラケット４０、第二可動ブラケット５０及び位置固定ブラケット６０を備える。
【００１４】
このうち、前記第一ベース２０は、必要に応じて、応用媒介物１に固定設置される。前記第一ベース２０には本体２０１が設置され。前記本体２０１の相対する両側には固定装置２０２が設置される。前記固定装置２０２は、必要に応じて、応用媒介物１に固定設置され、前記固定装置２０２は、前記本体２０１の相対する両側に、それぞれ相互に設置されるフックベルト２０２１とフック２０２２が設置される。前記フックベルト２０２１上には、適度な間隔で複数の位置固定孔が設置される。前記フックベルト２０２１は、適度な締め付けの度合いにより、前記応用媒介物１の周囲面に巻き付くように設置されることで、前記フック２０２２が前記対応する位置固定孔２０２１１にはめ込まれて固定されることにより、前記第一ベース２０が前記応用媒介物１に牢固に固定設置される。また、前記本体２０１には、外に向かって対応する結合部２０３を有し、前記結合部２０３（図７に詳述）は、必要に応じて前記第二ベース３０に設置される。前記結合部２０３の周縁には少なくとも一個の突出する導入移動ブロック２０３１を有し、周面には少なくとも一個の位置固定槽２０３２を有する。
【００１５】
前記第二ベース３０は、必要に応じて前記第一ベース２０に設置されて結合されて、前記第一可動ブラケット４０が軸接続されるのに供する。前記第二ベース３０には、本体３０１が設置され、前記本体３０１には、外に向かって対応する開放式の収納槽３０１１を有する。前記収納槽３０１１の壁面にはカーブ型位置固定部３０１２を有し、前記本体３０１周面には、前記収納槽３０１１及び前記カーブ型位置固定部３０１２を貫通する切り込み槽３０１３が設置されることで、前記本体３０１に、内側に縮小し外側に張り出す弾力作用力を有することができる。前記本体３０１は、また、外に向かって対応する結合部３０２を有し、前記結合部３０２（図７に詳述）は、必要に応じて、前記第一ベース２０に結合部２０３が設置されることも可能である。前記結合部３０２には、収納空間３０２１を有し、前記収納空間３０２１は、前記第一ベース２０の結合部２０３を収納するのに供する。前記収納空間３０２１周縁には、少なくとも一個の外に広がったはめ込み槽３０２２を有する。前記はめ込み槽３０２２は、前記第一ベースの結合部２０３の導入移動ブロック２０３１がはめ込まれるのに供する。前記収納空間３０２１周縁には、導入移動槽３０２３がくぼんで設置される。前記導入移動槽３０２３の一端は、前記はめ込み槽３０２２に接続し、前記導入移動槽３０２３の他端と前記隣接する導入移動槽３０２２の間には、当たり縁３０２４を有する。前記導入移動槽３０２３には、前記はめ込み槽３０２２からはめ込まれる前記第一ベース２０の導入移動ブロック２０３１が回転して進入する。前記導入移動槽３０２３に回転進入する前記導入移動ブロック２０３１は、さらに前記当たり縁３０２４に止められて位置が固定される。前記収納空間３０２１の周面には、少なくとも一個の位置固定ほぞ３０２５を有し、前記位置固定ほぞ３０２５は、第一ベース２０の前記導入移動ブロック２０３１において前記導入移動槽３０２３に回転進入した後、前記第一ベース２０の位置固定槽２０３２にはまり込んで位置が固定される。
【００１６】
前記第一可動ブラケット４０は、前記第二ベース３０に可動式に軸接続され、前記第一可動ブラケット４０には、メインステム４０１が設置される。前記メインステム４０１の一端には、球形状の第一端４０２を有し、前記球形状の第一端４０２は、前記第二ベース３０の本体３０１の収納槽３０１１を経て、自由に回転する形態で前記第二ベース３０の本体３０１のカーブ型位置固定部３０１２にはまり込んで設置される。前記本体３０１は、適度な締め付けの度合いで、弾力性作用力によって挟まれて固定される。前記メインステム４０１は、前記第一端４０２の反対側の他端には第二端４０３を有する。前記第二端４０３は、軸接続体で、前記第二端４０３は、前記第二可動ブラケット５０が可動式に軸接続で位置固定されるのに供する。このうち、前記第一端４０２は、自由に回転する形態で前記第二ベース３０のカーブ型位置固定部３０１２に軸接続された後、前記メインステム４０１と前記第二端４０３を共に多角度及び多方向に回転させることができる。使用上の必要に応じて、前記メインステム４０１は、さらに、可動式に前記第二ベース３０の切り込み槽３０１３内に倒置して収納させることも可能である。
【００１７】
前記第二可動ブラケット５０は、前記第一可動ブラケット４０に可動式に軸接続されて、前記第二可動ブラケット５０には、メインステム５０１を有し、前記メインステム５０１の一端には、第一端５０２を有し、前記第一端５０２は、前記第一可動ブラケット４０のメインステム４０１の第二端４０３に可動式に軸接続されて、ロック素子５０３によってロックされて位置が固定される。したがって、前記メインステム５０１は、多角度に回転操作させることが可能である。前記メインステム５０１は、前記第一端５０２の反対側の他端に第二端５０４を有し、前記第二端５０４は、前記位置固定ブラケット６０を設置するのに供される。
【００１８】
前記位置固定ブラケット６０は携帯式電子機器Ａを固定設置するのに供される。前記位置固定ブラケット６０は、適度な締め付けの度合いで前記第二可動ブラケット５０の第二端５０３に軸設置されることにより、前記携帯式電子機器Ａの回転方向の調整を行う。
【００１９】
上述のように、前記第一ベース２０が設置される応用媒介物１は、前記固定装置２０２に固定設置されるいかなる物体または物品を指し、例えば、身近にあるいかなる棒状の物体やシャフト、または屋外の固定物または非固定物、または屋外でよく用いられる傘または登山用ストック、ステッキ等である。
【００２０】
上述の構成の本考案を利用して実施した場合を説明する。図８、図９、図１０、図１１を参照しながら説明する。前記第一ベース２０は、前記固定装置２０２を介して、必要に応じていかなる応用媒介物１にも設置することが可能である。前記第二ベース３０も必要に応じて前記第一ベース２０に設置されることで、前記相互に軸接続されて、前記第二ベース３０の前記第一可動ブラケット４０、前記第二可動ブラケット５０及び前記位置固定ブラケット６０に軸接続され、さらには、必要に応じて前記第一ベース２０上にも設置されることが可能である。すなわち、使用上の必要性に応じて、前記第一ベース２０、前記第二ベース３０、前記第一可動ブラケット４０、前記第二可動ブラケット５０及び前記位置固定ブラケット６０が、あらかじめ一体に組み立てられて、直接前記固定装置２０２を介して応用媒介物１に取り付けられることが可能である。また、前記第一可動ブラケット４０は、前記球形状の第一端４０２を介して前記第二ベース３０の本体３０１のカーブ型位置固定部３０１２に軸接続されて、前記メインステム４０１を多角度及び多方向に回転するよう調整することが可能で、前記第二可動ブラケット５０もまた前記第一端５０２を介して前記第一可動ブラケット４０の第二端４０３に可動式に軸接続されることが可能である。前記メインステム５０１もまた、多角度の回転を調整することが可能である。すなわち、前記携帯式電子機器Ａが前記位置固定ブラケット６０に設置された後、直接前記応用媒介物１を利用して、多方向、多角度の調整を行って自撮りまたはその他の読書、動画観賞等（図８、図９に示したとおり）を実施することが可能で、操作、使用がシンプルで、便利且つスピーディーな効果を達成する。
【００２１】
前記第一可動ブラケット４０のメインステム４０１、前記第二可動ブラケット５０のメインステム５０１、及び前記位置固定ブラケット６０は、それぞれ多角度、多方向の調整操作を実施することが可能である。すなわち、前記携帯式電子機器Ａは、前記位置固定ブラケット６０が設置されていない場合でも、最適の角度や方向に湾折調整（曲折調整）を行うことが可能であるため、応用媒介物１に折り畳んで設置することで、空間の節約ができ、位置固定を安定させる効果を達成する。特に、前記第二ベース３０の切り込み槽３０１３は、前記第一可動ブラケット４０のメインステム４０１を内側に倒置して収納させることが可能である。すなわち、前記相互に湾折（曲折）して応用媒介物１に設置される前記第一可動ブラケット４０、前記第二可動ブラケット５０及び前記位置固定ブラケット６０は、さらに、体積を縮小させて、位置固定を安定させる効果を達成する（図１０及び図１１を参照）。
【００２２】
前記第二ベース３０は、前記第一ベース２０及び前記第一可動ブラケット４０、前記第二可動ブラケット５０及び前記位置固定ブラケット６０はまた、それぞれ相互に湾折（曲折）して折り畳んで体積を縮小させることが可能である。すなわち、必要に応じて、前記第二ベース３０は、前記第一ベース２０から取り外して、前記第一ベース２０を単独で応用媒介物１上に設置することも可能である（図４に示したとおり）。前記第二ベース３０、前記第一可動ブラケット４０、前記第二可動ブラケット５０及び前記位置固定ブラケット６０は、相互に折り畳んだ後単独で収納できる。したがって、体積を縮小して収納できるだけでなく、特に携帯式電子機器Ａを使用、操作する時、前記第二ベース３０を直接前記第一ベース２０に設置しさえすれば、簡便且つスピーディーに操作、使用できるという効果を達成する。
【００２３】
上述の構成の本考案を利用した実施例をさらに説明する。屋外で活動する時、例えば、登山用ストックやステッキがある場合、前記第一ベース２０をあらかじめ前記登山用ストックまたはステッキ等の応用媒介物に固定設置して、前記第二ベース３０、前記第一可動ブラケット４０、前記第二可動ブラケット５０及び前記位置固定ブラケット６０を相互に折り畳んで前記登山用ストックまたはステッキに設置しておくか、または、前記第一ベース２０を単独で先に前記登山用ストックまたはステッキに固定設置しておき、前記第二ベース３０、前記第一可動ブラケット４０、前記第二可動ブラケット５０及び前記位置固定ブラケット６０を相互に湾折して設置した後、バッグ内に収納しておく。使用時に、それらを直接前記第一ベース２０に設置すればよい。したがって、携帯式電子機器Ａを使用して自撮りする場合、それを前記登山用ストックまたはステッキ上の位置固定ブラケット６０が直接操作できることで、操作、使用が極めてシンプル且つ便利、スピーディーであるという効果を達成する。当然、前記第一ベース２０及び前記第二ベース３０は相互に着脱、組み立てが可能であり、前記第二ベース３０、前記第一可動ブラケット４０、前記第二可動ブラケット５０及び前記位置固定ブラケット６０は相互に湾折折り畳みが行えると同時に、前記第一ベース２０の固定装置２０２もまた各種応用媒介物１に設置固定することが可能であるため、室内、屋外にかかわらず、または、登山用ストックまたはステッキの有無にかかわらず、身近ないかなる応用媒介物１を介して、前記固定装置２０２を設置できることにより、前記携帯式電子機器Ａを適時に多方向、多角度に提供でき、自撮り、読書、動画観賞等の各種使用目的において、操作、使用がシンプルであると同時に多元的で、收納、携帯にも便利であるという効果を達成する。
【００２４】
本考案は、少なくとも以下の長所を有する。
【００２５】
１．製作が簡単で経済性に優れる。
【００２６】
２．組み立て、操作及び収納、携帯が極めてシンプルで、便利であり、実施の際の敏捷性を有する。
【００２７】
３．携帯式電子機器を多角度、多方向に応用媒介物に設置することが可能なことにより、使用上の利便性を達成する。
【００２８】
４．携帯式電子機器または応用媒介物の操作、使用を多様化し、シンプル且つ便利にする効果を有する。
【００２９】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００３０】
Ａ  携帯式電子機器
１  応用媒介物
１０  スティック部分（従来例）
１０１  グリップ部分（従来例）
１０２  結合部（従来例）
１１  ロック装置（従来例）
１２  固定ブラケット（従来例）
２０  第一ベース
２０１  本体
２０２  固定装置
２０２１  フックベルト
２０２１１  位置固定孔
２０２２  フック
２０３  結合部
２０３１  導入移動ブロック
２０３２  位置固定槽
３０  第二ベース
３０１  本体
３０１１  収納槽
３０１２  カーブ型位置固定部（湾曲型位置固定部）
３０１３  切り込み槽
３０２  結合部
３０２１  収納空間
３０２２  はめ込み槽
３０２３  導入移動槽
３０２４  当たり縁
３０２５  位置固定ほぞ
４０  第一可動ブラケット
４０１  メインステム
４０２  第一端
４０３  第二端
５０  第二可動ブラケット
５０１  メインステム
５０２  第一端
５０３  ロック素子
５０４  第二端
６０  位置固定ブラケット
【図１】
0003231636.tif 000003
【図２】
0003231636.tif 000004
【図３】
0003231636.tif 000005
【図４】
0003231636.tif 000006
【図５】
0003231636.tif 000007
【図６】
0003231636.tif 000008
【図７】
0003231636.tif 000009
【図８】
0003231636.tif 000010
【図９】
0003231636.tif 000011
【図１０】
0003231636.tif 000012
【図１１】
0003231636.tif 000013